(57)【要約】【課題】  押花と表紙等との一体感を得ることにより優れた見栄えを得、品位感及び品質感を飛躍的に高めるとともに、押花の部分に物等が当たっても剥がれにくくし、押花を長期にわたって確実に保護し、加えて、デザインの自由度を高め、表紙等の複数個所に押花を配する場合であっても、一回のラミネート作業により容易に製作できるようにする。【解決手段】  台紙２の面２ｆ上に所望のデザインが得られるように押花（及び／又はデザイン用シート材）３を配し、この押花３を配した台紙２の略全面を透明ラミネートフィルム４によりラミネートする。台紙２には、本Ｂ，ファイル，メニュー等の本類の表紙Ｂｆを用いることができる。【選択図】  図１
0003103409.tif 000002
【実用新案登録請求の範囲】
【請求項１】
台紙の面上に所望のデザインが得られるように押花及び／又はデザイン用シート材を配し、この押花及び／又はデザイン用シート材を配した台紙の略全面を透明ラミネートフィルムによりラミネートしてなることを特徴とするデザイン紙。
【請求項２】
前記台紙には、本，ファイル，メニュー等の本類の表紙を用いることを特徴とする請求項１記載のデザイン紙。
【考案の詳細な説明】
【技術分野】
【０００１】
本考案は、本やメニュー等の本類の表紙等に用いて好適なデザイン紙に関する。
【背景技術】
【０００２】
従来、押花を付した本の表紙（デザイン紙）としては、実開平６−７９５８号公報で開示される表蓋が知られている。
【０００３】
同公報で開示される表蓋は、表蓋本体に下シートを取付け、該下シートの上に乾燥押花を取付け、乾燥押花と下シートを覆う如く、プラスチックフィルム或いはプラスチックコーティングによるカバーを取り付けたものであり、優雅な趣のある本の表紙を得ることを目的としている。
【特許文献１】実開平６−７９５８号
【考案の開示】
【考案が解決しようとする課題】
【０００４】
しかし、上述した従来のデザイン紙（表蓋）は、次のような問題点があった。
【０００５】
第一に、押花は、表紙の一部分に取り付けるため、表紙との一体感が無く、見掛上は、一般の本の表紙にワッペン等を貼り付けた感じと同じになり、全体の見栄えに劣るとともに、品位感及び品質感にも劣る。
【０００６】
第二に、押花は、本の表紙の一部分に取り付けるため、押花の部分に物等が当たった場合、表紙から剥がれ易くなり、押花を保護する観点からは不十分である。
【０００７】
第三に、押花を配する範囲が限られるため、デザインの自由度が限定され、しかも、表紙の複数個所に取り付ける場合には、複数回の取り付け作業が必要になるなど、製作が大変となる。
【０００８】
本考案は、このような背景技術に存在する課題を解決したデザイン紙の提供を目的とするものである。
【課題を解決するための手段】
【０００９】
本考案に係るデザイン紙１は、上述した課題を解決するため、台紙２の面２ｆ上に所望のデザインが得られるように押花（及び／又はデザイン用シート材）３を配し、この押花３を配した台紙２の略全面を透明ラミネートフィルム４によりラミネートしてなることを特徴とする。この場合、考案の好適な態様により、台紙２には、本Ｂ，ファイル，メニュー等の本類の表紙Ｂｆを用いることができる。
【考案の効果】
【００１０】
このような構成を有する本考案に係るデザイン紙１によれば、次のような顕著な効果を奏する。
【００１１】
（１）  押花３と表紙Ｂｆ等との一体感が得られるため、優れた見栄えを得れるとともに、品位感及び品質感も飛躍的に高めることができる。
【００１２】
（２）  表紙Ｂｆ等の全体を透明ラミネートフィルム４によりラミネートするため、押花３の部分に物等が当たっても剥がれにくくなり、押花３を長期にわたって確実に保護することができる。
【００１３】
（３）  表紙Ｂｆ等の全体の面に押花３を配することができるため、例えば、落葉が舞う様子等も容易にデザインできるなど、デザインの自由度を高めることができるとともに、表紙Ｂｆ等の複数個所に押花３を配する場合であっても、一回のラミネート作業により容易に製作することができる。
【００１４】
（４）  好適な態様により、台紙２に、本Ｂ，ファイル，メニュー等の本類の表紙Ｂｆを用いれば、より好ましい効果を得ることができる。
【考案を実施するための最良の形態】
【００１５】
次に、本考案に係る最良の実施形態を挙げ、図面に基づき詳細に説明する。
【００１６】
まず、本実施形態に係るデザイン紙１の製作方法について、図１〜図３を参照しつつ図４に示す製作工程図に従って説明する。なお、図面は、本Ｂの表紙Ｂｆに用いるデザイン紙１を例示する。
【００１７】
最初に、押花３に用いる植物を収集する（ステップＳ１）。植物としては、花（花びら）をはじめ、葉（落葉を含む），茎，根等を利用することができ、特に、身近に生えている野草を利用できる。本実施形態に係るデザイン紙１は、単に、原形に忠実な押花３を用いるという従来の概念よりも、図２に示すように、本Ｂの表紙Ｂｆの全面を、キャンバスとして用いることを意図している。したがって、このキャンバスの面上に色々な野草を配して独自のデザイン（アート）を施すことができ、押花３の材料としては、野草であっても十分である。
【００１８】
そして、押花３に用いる植物を収集したなら、押花３の製作を行う（ステップＳ２）。この場合、押花３は乾燥押花であり、公知の製作方法により製作することができる。具体的には、第一のマットの上に第一の紙を敷き、この第一の紙の上に植物を互いに重ならないように並べる。次いで、この上に第二の紙を載せ、さらに、この上に第二のマットを載せる。この状態で上下から一対の硬質板により挟み、加圧器により加圧して数日間放置すれば、所望の押花３を得ることができる。この場合、一般的には、数〔ｋｇ〕の錘を載せるなどにより加圧を行っているが、本Ｂの表紙Ｂｆに用いる場合、一定の平坦性を得る必要があるため、加圧器として、一対の硬質板をボルト・ナットにより締め付けることができる治具を用いる。
【００１９】
次いで、図３に示すラミネート装置１０を用いてデザイン紙１の製作を行う。例示のラミネート装置１０は、加熱用ヒートロール１１、上下に配した一対の圧着用ラミネートロール１２ｕ，１２ｄ、上下に配した一対の引張りロール１３ｕ，１３ｄ、ラミネートフィルム装填軸１４、セット台１５を備えるとともに、その他、不図示の冷却機構等を備えている。そして、セット台１５には、本Ｂの表紙Ｂｆに用いる台紙２を載置し、また、ラミネートフィルム装填軸１４には、一面に接着剤を付した帯状の透明ラミネートフィルム４を巻回したロールフィルム１６を装填する（ステップＳ３）。この場合、台紙２は、一般の本Ｂの表紙Ｂｆに用いる紙類を用いることができ、予め、本Ｂに対応する題名や著者等の必要な印刷を行っておく。一方、透明ラミネートフィルム４には、一般の本Ｂの表紙Ｂｆにラミネートするラミネートフィルムを用いることができ、特に、厚さが３０〔μｍ〕程度のポリプロピレン製ラミネートフィルムが望ましい。
【００２０】
さらに、台紙２の上面２ｆの上には、図３に示すように、押花３…を配置する（ステップＳ４）。この場合、図２に一例として示すように、台紙２の上面２ｆにおける表紙Ｂｆとなる全面をキャンバスとして用いることができるため、前述したように、このキャンバスの面上に色々な押花３（野草）を配して独自のデザイン（アート）を施すことができる。そして、押花３の配置が終了したなら、ラミネート装置１０を作動させる（ステップＳ５）。これにより、ロールフィルム１６から繰り出される透明ラミネートフィルム４は、矢印Ｆ１方向に搬送され、ヒートロール１１により加熱されるため、押花３…を配した台紙２を矢印Ｆ２方向へ挿入すれば、台紙２の略全面を透明ラミネートフィルム４が覆う。この結果、台紙２と透明ラミネートフィルム４は押花３…を挟んだ状態でラミネートされ、各押花３…の位置も固定される。
【００２１】
この後、本Ｂの正規の表紙Ｂｆとなるようにカッティングするとともに、通常の製本方法に従って製本処理を行う（ステップＳ６，Ｓ７）。これにより、図１及び図２に示すような本Ｂを得ることができる。このようにして得られる本Ｂは、押花３と表紙Ｂｆとの一体感が得られるため、優れた見栄えを得れるとともに、品位感及び品質感も飛躍的に高めることができる。また、表紙Ｂｆの全体を透明ラミネートフィルム４によりラミネートするため、押花３の部分に物等が当たっても剥がれにくくなり、押花３を長期にわたって確実に保護することができる。しかも、表紙Ｂｆの全体の面に押花３を配することができるため、例えば、落葉が舞う様子等も容易にデザインできるなど、デザインの自由度を高めることができるとともに、表紙Ｂｆ等の複数個所に押花３を配する場合であっても、一回のラミネート作業により容易に製作することができる。特に、台紙２に、このような本Ｂの表紙Ｂｆを用いれば、より好ましい効果を得ることができる。
【００２２】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２３】
例えば、台紙２として、本Ｂの表紙Ｂｆを例示したが、一般的には、ファイル，メニュー等の各種本類の表紙Ｂｆを用いることができる。さらに、台紙２には、扇子，提灯，屏風，枝折，色紙等の工芸品や民芸品に用いる紙材、お土産品のパッケージや缶等の表面に付す紙材等も用いることができる。また、透明ラミネートフィルム４は、透明のみならず、半透明又は一部透明も含まれる。なお、押花３のみを例示したが、この押花３と同様に或いはより効果的なデザインを施すことができる和紙や布等のデザイン用シート材を押花３と組合わせて用いることもできるし、押花３に代えてデザイン用シート材のみを用いることも可能である。
【図面の簡単な説明】
【００２４】
【図１】本考案の最良の実施形態に係る本の部分拡大図を含む断面底面図、
【図２】同本の正面図、
【図３】同本における表紙を製作するラミネート装置の概要図、
【図４】同本における表紙の製作方法を示す製作工程図、
【符号の説明】
【００２５】
１    デザイン紙
２    台紙
２ｆ  台紙の面
３    押花
４    透明ラミネートフィルム
Ｂ    本
Ｂｆ  本類の表紙
【図１】
0003103409.tif 000003
【図２】
0003103409.tif 000004
【図３】
0003103409.tif 000005
【図４】
0003103409.tif 000006